(57)【特許請求の範囲】
【請求項１】
情報の入出力を行う端末装置、前記端末装置の制御を行うセンター装置及び前記端末装置に無線で接続して電話回線を介し前記センター装置との通信を中継する端末網制御装置で構成されるテレコントロールシステムにおいて、前記電話回線での信号の送受信を行う回線通信部と、近隣の端末網制御装置からの信号や近隣の端末装置からの信号を無線によって受信する無線通信部と、前記無線通信部からの異常通知により前記回線通信部を介してセンター装置へ通報を行う通信制御部とを備えて、前記無線通信部は、前記近隣の端末網制御装置が前記近隣の端末装置の信号に対して応答を返さないときに前記通信制御部へ前記近隣の端末網制御装置の異常通知を行う端末網制御装置。
【請求項２】
情報の入出力を行う端末装置、前記端末装置の制御を行うセンター装置及び前記端末装置に無線で接続して電話回線を介し前記センター装置との通信を中継する端末網制御装置で構成されるテレコントロールシステムにおいて、前記電話回線での信号の送受信を行う回線通信部と、前記端末装置と無線によって送受信を行う無線通信部と、近隣の端末網制御装置と前記回線通信部または前記無線通信部の異常情報の送受信を行い近隣の端末網制御装置への回線切り離し要求信号を送受信する有線通信部と、前記回線通信部または前記無線通信部の異常を検出したり前記有線通信部からの異常通知により前記回線通信部を介してセンター装置へ通報を行う通信制御部と、前記有線通信部からの回線切り離し要求信号によって電話回線を切り離す回線切離部とを備えた端末網制御装置。
【発明の詳細な説明】
【０００１】
【産業上の利用分野】
本発明は、通信機能を有する端末装置を電話回線を介してセンター装置と接続して通信を行うテレコントロールシステムにおいて、特に検針メータとの間の通信を無線で行う自動検針システム等に用いる端末網制御装置に関する。
【０００２】
【従来の技術】
図１１はテレコントロールシステムの一つである自動検針システムの従来のブロック構成図である。同図において、１は端末装置としての需要家宅のガスメータ等の検針メータで、ガス、水道、電気等の供給源の使用量である検針値を機器情報として記憶し伝送したり遮断機構によってその供給源の遮断制御を行うものである。２は端末網制御装置で、普通は需要家宅の各家屋の外壁に設置して、検針メータ１からの信号を電話回線に送出したり、電話回線からの信号を検針メータ１へ伝送したり、電話回線の接続切断等の制御を行う。３はセンター装置で、検針値等を管理するための管理センターなどに設置され、電話回線を介して検針値の受信、検針メータ１や端末網制御装置２の制御を行う。
【０００３】
また、一般に検針メータ１と端末網制御装置２はそれぞれ各需要家宅に１台ずつ設置されており、１対１で対応して第１の検針メータ１Ａは第１の端末網制御装置２Ａを介し、隣家の第２の検針メータ１Ｂは第２の端末網制御装置２Ｂを介してそれぞれセンター装置３と通信を行う。また、家庭に引き込まれる電話回線に接続する端末網制御装置２と検針メータ１の間を無線で通信を行うことが考えられている（特開平６−８５９３８号公報）。この場合、端末網制御装置２は、電話回線の接続切断等の制御を行ったり電話回線での信号の送受信を行う回線通信部２１と、検針メータ１との無線での信号の送受信を行う無線通信部２２と、それぞれの通信を制御する通信制御部２３で構成される。
【０００４】
以上の構成によって、センター装置から検針を行うときの流れを示す。センター装置３からの検針要求信号は、電話回線を介して端末網制御装置２で受信され、さらに無線によって検針メータ１へ伝送される。検針メータ１は、検針要求信号を受信すると、記憶している検針値を無線によって端末網制御装置２に送信する。端末網制御装置２は、検針メータ１からの検針値を受信すると、これを電話回線を介してセンター装置３へ伝送する。検針メータ１はそれぞれ識別番号を持っているため、その識別番号を知らない他の端末網制御装置２からの検針値の読み出しや制御はできないようにしている。
【０００５】
【発明が解決しようとする課題】
しかしながら上記従来の構成では、以下のような課題がある。
【０００６】
（１）端末網制御装置の無線通信部に異常が発生していても、センター装置から端末装置への検針等の通信が行われないとセンター装置は異常を認識できない。
【０００７】
（２）端末網制御装置の無線通信部の受信機能に異常がある場合、端末装置から端末網制御装置への送信があったことを認識することができないので、端末網制御装置が無線通信部の異常を検知するのが遅れる。
【０００８】
（３）端末網制御装置の電話回線通信機能だけでなく無線通信機能にも異常がある場合、その端末網制御装置からはどこへも異常を通報することができない。
【０００９】
（４）端末網制御装置は、一般に家庭の電話機とバス配線されているので、端末網制御装置が異常になることによって家庭の電話機に影響を与える可能性がある。
【００１０】
本発明は上記第１の課題を解決するために、無線通信の異常を検知してセンター装置へ通報する端末網制御装置を提供することを目的としたものである。
【００１１】
また、上記第２の課題を解決するために、近隣の端末網制御装置の無線通信の異常を検知してセンター装置へ通報する端末網制御装置を提供することを目的としている。
【００１２】
また、上記第３の課題を解決するために、有線通信によって近隣の端末網制御装置に無線通信または回線通信の異常を通知できる端末網制御装置を提供することを目的としている。
【００１３】
また、上記第４の課題を解決するために、異常のある端末網制御装置を別の端末網制御装置から制御して電話回線から切り離すことのできる端末網制御装置を提供することを目的としている。
【００１４】
【課題を解決するための手段】
本発明は、前記第１の目的を達成するために、端末装置と定期的に無線通信を行う無線通信部と、電話回線の接続切断等の制御を行ったり電話回線での信号の送受信を行う回線通信部と、前記無線通信部からの異常通知により前記回線通信部を介してセンター装置へ通報を行う通信制御部とを備える。
【００１５】
また、前記第２の目的を達成するために、近隣の端末網制御装置からの信号や複数の端末装置からの信号を無線によって受信して、前記近隣の端末網制御装置が端末装置の信号に対して応答を返さないときに通信制御部へ前記近隣の端末網制御装置の異常通知を行う無線通信部を備える。
【００１６】
また、前記第３の目的を達成するために、別の端末網制御装置へ回線通信部または無線通信部の異常情報を送受信する有線通信部と、前記回線通信部および前記無線通信部の異常を検出したり前記有線通信部からの異常通知により前記回線通信部を介してセンター装置へ通報を行う通信制御部とを備える。
【００１７】
また、前記第４の目的を達成するために、別の端末網制御装置への回線切り離し要求信号を送受信する有線通信部と、その有線通信部からの回線切り離し要求信号によって電話回線を切り離す回線切離部を備える。
【００１８】
【作用】
本発明の端末網制御装置は前述した第１の構成により、無線通信部は、端末装置と定期的に無線通信を行っており、端末装置との無線通信に異常が生じると、通信制御部へ通信異常を通知する。通信制御部は、無線通信部から通信異常を通知されると回線通信部を介して電話回線を使ってセンター装置へ無線通信の異常を通報する。
【００１９】
また、上記第２の構成により、通常、無線通信部は、端末装置や近隣の端末網制御装置からの無線信号を受信しており、近隣の端末網制御装置が規定時間以上経っても端末装置に対する応答を行わない場合、通信制御部へ近隣の端末網制御装置の通信異常を通知する。通信制御部は、無線通信部から近隣の端末網制御装置の通信異常を通知されると回線通信部を介して電話回線を使ってセンター装置へ近隣の端末網制御装置の無線通信の異常を通報する。
【００２０】
また、上記第３の構成により、通信制御部は、回線通信部または無線通信部に異常が発生したことを検出すると、有線通信部を介して近隣の端末網制御装置へ異常情報を通知する。有線通信部を介して異常を通知された端末網制御装置の通信制御部は、回線通信部を介して電話回線を使ってセンター装置へ近隣の端末網制御装置の回線通信の異常を通報する。
【００２１】
また、上記第４の構成により、近隣の端末網制御装置より有線通信部を介して異常を通知された端末網制御装置の通信制御部は、有線通信部を介して異常通知元の端末網制御装置に対して回線切り離し要求信号を送出する。異常通知元の端末網制御装置では、有線通信部によって回線切り離し要求信号を受信して、回線切離部により装置を電話回線から切り離す。
【００２２】
【実施例】
図１は本発明の第１の実施例における端末網制御装置を用いた自動検針システムのブロック構成図である。
【００２３】
同図から明らかのように、従来例を説明した図１１と構成はほぼ同じであるが、機能として異なっている点は、無線通信部２２が定期的（例えば３０秒毎）に所定の検針メータ１と無線通信を行って検針メータ１との通信に異常が生じると通信制御部２３へ無線通信異常を通知するという点、通信制御部２３が無線通信部２２から異常通知を受けると回線通信部２１を介してセンター装置３へ通報を行う機能を有するという点、さらにセンター装置３が端末網制御装置２からの無線通信異常の通報を受信するとその近隣の端末網制御装置２に対して異常が通報された検針メータ１の検針要求を行うという点にある。
【００２４】
上記のように構成された自動検針システムの動作手順について図１および図２を参照して説明する。
【００２５】
（１）端末網制御装置２Ａは、無線通信部２２によって検針メータ１Ａに対して定期信号を３０秒毎に送信する。
【００２６】
（２）検針メータ１Ａは、端末網制御装置２Ａより定期信号を受信すると、受信確認信号（ＡＣＫ）を端末網制御装置２Ａへ送信する。
【００２７】
（３）端末網制御装置２Ａは、無線通信部２２によって規定時間内に検針メータ１Ａより受信確認信号を受信すると、無線通信機能が正常であると判断する。
【００２８】
（４）端末網制御装置２Ａは、無線通信部２２によって規定時間内に検針メータ１Ａより受信確認信号を受信しなかった場合、無線通信機能が異常であると判断して、無線通信部２２より通信制御部２３へ無線通信異常を通知する。通信制御部２３は、無線通信部２２より無線異常を通知されると、回線通信部２１を介して電話回線を使ってセンター装置へ無線通信の異常を通報する。
【００２９】
（５）センター装置３は、端末網制御装置２Ａより無線通信の異常を通報されると、端末網制御装置２Ａの近隣の端末網制御装置２Ｂへ検針メータ１Ａの検針を要求する。
【００３０】
（６）端末網制御装置２Ｂは、センター装置３より検針メータ１Ａの検針要求を受信すると、検針メータ１Ａに対して無線によって検針要求信号を送出する。
【００３１】
（７）検針メータ１Ａは、端末網制御装置２Ｂより検針要求信号を受信すると、検針値を端末網制御装置２Ｂに対して送信する。
【００３２】
（８）端末網制御装置２Ｂは、検針メータ１Ａより検針値を受信すると、電話回線によってセンター装置３へ検針メータ１Ａの検針値を送信する。
【００３３】
（９）センター装置３は、端末網制御装置２Ｂより検針メータ１Ａの検針値を受信すると、検針メータ１Ａの通信機能に異常がないと判断する。また、規定時間内に端末網制御装置２Ｂより検針メータ１Ａの検針値を受信しなければ、検針メータ１Ａの通信機能に異常があると判断する。
【００３４】
上述のように本実施例の端末網制御装置を自動検針システムに用いれば、端末網制御装置と検針メータ間の無線通信の異常をセンター装置に通報することができ、さらに、近隣の端末網制御装置で検針を行ってみることで端末網制御装置の無線通信機能か検針メータの通信機能かのどちらに異常があるかを判断することができる。
【００３５】
図３は本発明の第２の実施例における端末網制御装置を用いた自動検針システムのブロック構成図である。
【００３６】
第１の実施例との違いは、無線通信部２２が近隣の端末網制御装置２からの信号や複数の検針メータ１からの信号を無線によって受信することである。
【００３７】
上記のように構成された自動検針システムの動作手順について図３および図４を参照して説明する。
【００３８】
（１）検針メータ１Ａは、メータ情報を端末網制御装置２Ａへ送信する。
【００３９】
（２）端末網制御装置２Ａは、無線通信部２２によって検針メータ１Ａよりメータ情報を受信すると、受信確認信号（ＡＣＫ）を検針メータ１Ａへ送信する。
【００４０】
（３）端末網制御装置２Ｂの無線通信部２２は、検針メータ１Ａから端末網制御装置２Ａへのメータ情報信号を受信してから、規定時間内に端末網制御装置２Ａから検針メータ１Ａへの受信確認信号を受信しなければ、端末網制御装置２Ａの無線通信機能が異常であると判断して、通信制御部２３へ端末網制御装置２Ａの無線通信異常を通知する。
【００４１】
（４）端末網制御装置２Ｂの通信制御部２３は、無線通信部２２より端末網制御装置２Ａの無線異常を通知されると、回線通信部２１を介して電話回線を使ってセンター装置へ端末網制御装置２Ａの無線通信の異常を通報する。
【００４２】
（５）センター装置３は、端末網制御装置２Ｂより端末網制御装置２Ａの無線通信の異常を通報されると、端末網制御装置２Ｂへ検針メータ１Ａの検針を要求する。
【００４３】
（６）端末網制御装置２Ｂは、センター装置３より検針メータ１Ａの検針要求を受信すると、検針メータ１Ａに対して無線によって検針要求信号を送出する。
【００４４】
（７）検針メータ１Ａは、端末網制御装置２Ｂより検針要求信号を受信すると、検針値を端末網制御装置２Ｂに対して送信する。
【００４５】
（８）端末網制御装置２Ｂは、検針メータ１Ａより検針値を受信すると、電話回線によってセンター装置３へ検針メータ１Ａの検針値を送信する。
【００４６】
上述のように本実施例の端末網制御装置を自動検針システムに用いれば、端末網制御装置と検針メータ間の無線通信の異常をセンター装置に通報することができ、さらに、近隣の端末網制御装置を用いることで異常のある端末網制御装置が通常検針を行っていた検針メータの検針を行うことができる。
【００４７】
図５は本発明の第３の実施例における端末網制御装置を用いた自動検針システムのブロック構成図である。
【００４８】
従来例と機能の違いは、無線通信部２２が近隣の端末網制御装置２へ回線通信部２１の異常情報を無線によって送受信できることと、通信制御部２３が回線通信部２１の異常を検出することである。
【００４９】
上記のように構成された自動検針システムの動作手順について図５および図６を参照して説明する。
【００５０】
（１）端末網制御装置２Ａは、回線通信部２１によって電話回線を介してセンター装置３へデータＡを送信する。
【００５１】
（２）センター装置３は、端末網制御装置２ＡよりデータＡを受信すると、受信確認信号（ＡＣＫ）を端末網制御装置２Ａへ送信する。
【００５２】
（３）端末網制御装置２Ａの通信制御部２３は、回線通信部２１がセンター装置３へデータＡを送信してから規定時間内にセンター装置３から端末網制御装置２Ａへの受信確認信号を受信しなければ、端末網制御装置２Ａの回線通信機能が異常であると判断して、無線通信部２２を介して近隣の端末網制御装置２Ｂへ端末網制御装置２Ａの回線異常を通知する。
【００５３】
（４）端末網制御装置２Ｂの通信制御部２３は、無線通信部２２より端末網制御装置２Ａの回線異常を通知されると、回線通信部２１を介して電話回線を使ってセンター装置へ端末網制御装置２Ａの回線通信の異常を通報する。
【００５４】
上述のように本実施例の端末網制御装置を自動検針システムに用いれば、端末網制御装置とセンター装置間の電話回線を用いた通信異常をセンター装置に通報することができる。
【００５５】
なお、第２の実施例と同様に近隣の端末網制御装置を用いることで異常のある端末網制御装置が通常検針を行っていた検針メータの検針を行うことができる。
【００５６】
図７は本発明の第４の実施例における端末網制御装置を用いた自動検針システムのブロック構成図である。
【００５７】
第１の実施例との違いは、別の端末網制御装置２へ回線通信部２１または無線通信部２２の異常情報を送受信する有線通信部２４を有することと、通信制御部２３が、回線通信部２１の異常を検出したり有線通信部２４からの異常通知により回線通信部２１を介してセンター装置３へ通報を行うことである。
【００５８】
上記のように構成された自動検針システムの動作手順について図７を参照して説明する。
【００５９】
端末網制御装置２Ａの無線通信部２２は、第１の実施例と同様に検針メータ１Ａとの無線通信に異常があると、通信制御部２３へ無線通信の異常通知を行う。
【００６０】
通信制御部２３は、無線通信部２２から無線通信の異常を通知されると、有線通信部２４を介して近隣の端末網制御装置２Ｂへ端末網制御装置２Ａの無線通信の異常を通知する。
【００６１】
端末網制御装置２Ｂの通信制御部２３は、有線通信部２４を介して端末網制御装置２Ａの無線通信の異常を通知されると、回線通信部２１を介してセンター装置３へ端末網制御装置２Ａの無線通信の異常の通報を行う。
【００６２】
同様に端末網制御装置２Ａの通信制御部２３は、回線通信部２１の異常を検出すると、有線通信部２４を介して近隣の端末網制御装置２Ｂへ端末網制御装置２Ａの回線通信の異常を通知する。
【００６３】
端末網制御装置２Ｂの通信制御部２３は、有線通信部２４を介して端末網制御装置２Ａの回線通信の異常を通知されると、回線通信部２１を介してセンター装置３へ端末網制御装置２Ａの回線通信の異常の通報を行う。
【００６４】
上述のように本実施例の端末網制御装置を自動検針システムに用いれば、端末網制御装置と検針メータ間での無線通信の異常または端末網制御装置とセンター装置間での電話回線を用いた通信異常をセンター装置に通報することができる。
【００６５】
なお、第２の実施例と同様に近隣の端末網制御装置を用いることで異常のある端末網制御装置が通常検針を行っていた検針メータの検針を行うことができる。
【００６６】
図８は本発明の第５の実施例における端末網制御装置を用いた自動検針システムのブロック構成図である。
【００６７】
第４の実施例との違いは、有線通信部２４が別の端末網制御装置への回線切り離し要求信号を送受信することと、その有線通信部２４からの回線切り離し要求信号によって電話回線を切り離す回線切離部２５を備えていることである。
【００６８】
上記のように構成された自動検針システムの動作手順について図８を参照して説明する。
【００６９】
端末網制御装置２Ａの通信異常を端末網制御装置２Ｂを介してのセンター装置３へ通報する手順は第４の実施例と同様である。
【００７０】
さらに、端末網制御装置２Ｂの通信制御部２３は、通信異常の発生している端末網制御装置２Ａに対して有線通信部２４を介して回線切り離し要求信号を送出する。
【００７１】
端末網制御装置２Ａの有線通信部２４は、近隣の端末網制御装置２Ｂより回線切り離し要求信号を受信すると、これを回線切離部２５へ通知する。
【００７２】
回線切離部２５は、回線切り離し要求信号を受信すると、その端末網制御装置２Ａを接続されている電話回線から切り離す。
【００７３】
上述のように本実施例の端末網制御装置を自動検針システムに用いれば、端末網制御装置と検針メータ間での無線通信の異常または端末網制御装置とセンター装置間での電話回線を用いた通信異常をセンター装置に通報することができ、さらに、異常のある端末網制御装置をそれが接続されている電話回線より切り離すことができる。
【００７４】
なお、第２の実施例と同様に近隣の端末網制御装置を用いることで異常のある端末網制御装置が通常検針を行っていた検針メータの検針を行うことができる。
【００７５】
図９は本発明の第６の実施例における端末網制御装置を用いた自動検針システムのブロック構成図である。
【００７６】
第４の実施例との違いは、有線通信部を２つ持ち、２台の端末網制御装置の間で検針要求信号等の有線通信によるデータ転送ができることである。
【００７７】
上記のように構成された自動検針システムの検針手順について図９を参照して説明する。
【００７８】
（１）センター装置３は、電話回線を介して端末網制御装置２Ａへ検針メータ１Ａの検針要求信号を送信する。
【００７９】
（２）端末網制御装置２Ａの通信制御部２３は、回線通信部２１を介して検針要求信号を受信すると、無線通信部２２を介して検針メータ２Ａへ検針を要求する。
【００８０】
（３）通信制御部２３は、規定時間内に検針メータ１Ａからの検針値を受信できなければ、第１の有線通信部２６を介して近隣の端末網制御装置２Ｂに検針メータ１Ａの検針要求信号を送出する。
【００８１】
（４）端末網制御装置２Ｂの通信制御部２３は、第２の有線通信部２７を介して検針メータ１Ａの検針要求信号を受信すると、無線通信部２２を介して検針メータ２Ａへ検針を要求する。
【００８２】
（５）通信制御部２３は、規定時間内に検針メータ１Ａからの検針値を受信すると、第２の有線通信部２７を介して端末網制御装置２Ａに検針メータ１Ａの検針値を送出する。
【００８３】
（６）端末網制御装置２Ａの通信制御部２３は、第１の有線通信部２６を介して検針メータ１Ａの検針値を受信すると、これを回線通信部２１を介して電話回線よりセンター装置３へ送信する。
【００８４】
上述のように本実施例の端末網制御装置を自動検針システムに用いれば、１つの端末網制御装置と検針メータ間での電波状態が悪い場合は、近隣の端末網制御装置に検針を依頼することで通信状態の良い場所より通信を行うことができる。
【００８５】
なお、本実施例では２つの端末網制御装置のみでの構成を示したが、さらに多くの端末網制御装置を有線通信部で接続することで、最も通信状態の良い端末網制御装置を捜して検針メータとの通信を行うことができる。
【００８６】
図１０は本発明の第７の実施例における端末網制御装置を用いた自動検針システムのブロック構成図である。
【００８７】
従来例との違いは、通信制御部２３と無線通信部２２との通信のためのインタフェースが２つあり、近隣の端末網制御装置の通信制御部２３と接続して通信することもできる構成としていることである。
【００８８】
上記のように構成された自動検針システムの検針手順について図１０を参照して説明する。
【００８９】
（１）センター装置３は、電話回線を介して端末網制御装置２Ｃへ検針メータ１Ｃの検針要求信号を送信する。
【００９０】
（２）端末網制御装置２Ｃの通信制御部２３は、回線通信部２１を介して検針要求信号を受信すると、検針メータ２Ｃへ検針を要求するために、近隣の端末網制御装置２Ｂへ検針要求信号を送出する。
【００９１】
（３）近隣の端末網制御装置２Ｂの通信制御部２３は検針要求信号を受信すると、これをさらに近隣の端末網制御装置２Ａへ送出する。
【００９２】
（４）近隣の端末網制御装置２Ａの通信制御部２３は検針要求信号を受信すると、これを無線通信部２２を介して無線通信によって検針メータ１Ｃへと送信する。
【００９３】
（５）端末網制御装置２Ａの通信制御部２３は無線通信部２２を介して検針メータ１Ｃより検針値を受信すると、これを端末網制御装置２Ｂへ送出する。
【００９４】
（６）端末網制御装置２Ｂの通信制御部２３は、端末網制御装置２Ａより検針値を受信すると、これを端末網制御装置２Ｃへ送出する。
【００９５】
（７）端末網制御装置２Ｃの通信制御部２３は、端末網制御装置２Ｂより検針値を受信すると、これを回線通信部２１を介して電話回線よりセンター装置３へ送信する。
【００９６】
上述のように本実施例の端末網制御装置を自動検針システムに用いれば、複数の端末網制御装置が無線通信部を共同で利用することができる。
【００９７】
なお、本実施例ではセンター装置から検針要求信号を受信した端末網制御装置２Ｃが検針値をセンター装置へ送信する手順としたが、無線通信で検針メータより検針値を受信した端末網制御装置２Ａが直接センター装置へ検針値を送出する手順とすれば通信時間を短縮することができる。
【００９８】
【発明の効果】
以上の説明から明らかのように本発明の端末網制御装置によれば次の効果が得られる。
【００９９】
第１の構成によって、端末網制御装置の無線通信の異常を検出した時点でセンター装置へ通報できるので、センター側で端末網制御装置の無線通信の異常を早く認識できる。
【０１００】
また、第２の構成によって、端末網制御装置の無線通信に異常の発生が近隣の端末網制御装置を介してセンター装置へ通報できるので、センター側で端末網制御装置の無線受信の異常を早く認識できる。
【０１０１】
また、第３の構成によって、端末網制御装置の電話回線通信機能だけでなく無線通信機能にも異常がある場合でも、近傍の端末網制御装置によってセンター装置への通知を行えるので、センター側で端末網制御装置の異常を早く認識できる。
【０１０２】
また、第４の構成によって、端末網制御装置に異常が発生しても近傍の端末網制御装置からの電話回線の切り離し制御が行えるので、異常時にも電話回線に対する影響を及ぼす可能性がなくなる。
【図面の簡単な説明】
【図１】  本発明の第１の実施例における端末網制御装置のブロック構成図
【図２】  同装置の自動検針システムの動作手順を示す図
【図３】  本発明の第２の実施例における端末網制御装置のブロック構成図
【図４】  同装置の自動検針システムの動作手順を示す図
【図５】  本発明の第３の実施例における端末網制御装置のブロック構成図
【図６】  同装置の自動検針システムの動作手順を示す図
【図７】  本発明の第４の実施例における端末網制御装置のブロック構成図
【図８】  本発明の第５の実施例における端末網制御装置のブロック構成図
【図９】  本発明の第６の実施例における端末網制御装置のブロック構成図
【図１０】  本発明の第７の実施例における端末網制御装置のブロック構成図
【図１１】  従来の端末網制御装置のブロック構成図
【符号の説明】
１  検針メータ
２  端末網制御装置
３  センター装置
２１  回線通信部
２２  無線通信部
２３  通信制御部
２４  有線通信部
２５  回線切離部
２６  第１の有線通信部
２７  第２の有線通信部
【図１】
0003708178.tif 000002
【図２】
0003708178.tif 000003
【図３】
0003708178.tif 000004
【図４】
0003708178.tif 000005
【図５】
0003708178.tif 000006
【図６】
0003708178.tif 000007
【図７】
0003708178.tif 000008
【図８】
0003708178.tif 000009
【図９】
0003708178.tif 000010
【図１０】
0003708178.tif 000011
【図１１】
0003708178.tif 000012